(57)【要約】【課題】  圧電バイモルフ（可動役物）への電力供給のオン・オフを遊技球を利用して行う役物装置を提供すること。【解決手段】  遊技機の遊技盤に設けられる役物装置であって、前記遊技盤に配置され、圧電バイモルフからなる可動役物２３と、遊技球７が接触すると導通する一対の電極片２９と、前記一対の電極片２９が導通すると前記圧電バイモルフに電力を供給して前記可動役物２３を駆動する電源供給回路と、を含む。【選択図】  図２
2006255276.tif 000002
【特許請求の範囲】
【請求項１】
遊技機の遊技盤に設けられる役物装置であって、
前記遊技盤に配置され、圧電バイモルフからなる可動役物と、
遊技球が接触すると導通する一対の電極片と、
前記一対の電極片が導通すると前記圧電バイモルフに電力を供給して前記可動役物を駆動する電源供給回路と、を含むことを特徴とする役物装置。
【請求項２】
前記一対の電極片が複数設けられ、これら複数の電極片対が前記遊技球の所定の通路に沿って所定間隔で配置されたことを特徴とする請求項１記載の役物装置。
【請求項３】
前記一対の電極片同士の距離が前記遊技球の直径より小さく、前記一対の電極片が可撓性を有することを特徴とする請求項１または２記載の役物装置。
【請求項４】
前記遊技球が前記一対の電極片の両方に接触すると、前記遊技球を介して前記一対の電極片が導通することを特徴とする請求項１−３のいずれかに記載の役物装置。
【請求項５】
前記遊技球が前記一対の電極片の一方に接触すると、前記一方の電極片が他方の電極片に接触し、これら２つの電極片が導通することを特徴とする請求項１−３のいずれかに記載の役物装置。
【発明の詳細な説明】
【技術分野】
【０００１】
本発明は遊技機に設けられる役物装置に関し、特に、圧電素子を利用して駆動される役物装置に関する。
【背景技術】
【０００２】
弾球遊技機の一例としてパチンコ機が知られている。従来のパチンコ機は、一般に、盤面に固定役物と可動役物を有している。固定役物とは、例えば単に開口部が形成されている入賞口である。可動役物とは、例えば、開閉駆動される電動チューリップや電動アタッカである。従来のパチンコ機は前記可動役物を駆動するために、駆動装置（例えば、ソレノイド式のもの）と、前記駆動装置の電源と、前記駆動装置の制御装置等を有している。発射装置により打ち出されるパチンコ球が盤面を流下し、固定役物や可動役物に入ると所定の入賞動作が行われる（特許文献１）。
【特許文献１】特開２００３−１２６４９９号公報
【０００３】
また、従来のパチンコ機にあっては、圧電バイモルフ（圧電素子）を種々の目的で使用しているものがある。例えば、圧電バイモルフをパチンコ球の検出のためのセンサとして使用した例が特許文献２及び特許文献３に開示されている。圧電バイモルフは衝撃を与えると発電するという性質を持っているので、この性質を利用して、パチンコ球センサとして使用している。
【特許文献２】特開平１０−２７２２２５号公報
【特許文献３】特開平１１−１８８１３９号公報
【０００４】
圧電バイモルフを利用した他の例としては、圧電バイモルフを自己発光装置として使用したものが特許文献４及び特許文献５に開示されている。パチンコ球が圧電バイモルフに衝突することにより、自己発電及び自己発光が行われる。
【特許文献４】特願２００４−３６０７１１号
【特許文献５】特願２００５−２４８５号
【０００５】
圧電バイモルフのその他の利用法としては、パチンコ球発射装置として使用している例が特許文献６に開示されている。圧電バイモルフは、電圧を印加すると変形したり振動するので、この性質を利用して、パチンコ球発射装置として使用している。
【特許文献６】特開２００２−２５３７６７号公報
【発明の開示】
【発明が解決しようとする課題】
【０００６】
従来、圧電バイモルフへの電力供給のオン・オフを遊技球を利用して行う例はなかった。
本発明の１つの目的は、遊技球を利用して圧電バイモルフへの電力供給を行う（オン・オフする）ことができる遊技機の役物装置を提供することである。
【課題を解決するための手段】
【０００７】
本発明によれば、遊技機の遊技盤に設けられる役物装置であって、
前記遊技盤に配置され、圧電バイモルフからなる可動役物と、
遊技球が接触すると導通する一対の電極片と、
前記一対の電極片が導通すると前記圧電バイモルフに電力を供給して前記可動役物を駆動する電源供給回路と、を含むことを特徴とする役物装置が提供される。
【０００８】
前記一対の電極片は複数設けられてもよい。好ましくは、これら複数の電極片対は前記遊技球の所定の通路に沿って所定間隔で配置される。
【０００９】
前記一対の電極片同士の距離が前記遊技球の直径より小さく、前記一対の電極片が可撓性を有してもよい。この場合、遊技球は一対の電極片の間を押し広げて、これら電極片の間を通過することができる。
【００１０】
前記遊技球が前記一対の電極片の両方に接触すると、前記遊技球を介して前記一対の電極片が導通するようにしてもよい。あるいは、前記遊技球が前記一対の電極片の一方に接触すると、前記一方の電極片が他方の電極片に接触し、これら２つの電極片が導通するようにしてもよい。
【発明の効果】
【００１１】
本発明の役物装置では、可動役物（圧電バイモルフ）への電力供給が、電極片への遊技球の衝突によりオン・オフされる。遊技球のランダムな動きに応じて可動役物が駆動されるので、可動役物の制御装置を別個に設ける必要がない。制御装置を設ける必要がないので、低コストで役物装置を作成することができる。
【発明を実施するための形態】
【００１２】
本発明の役物装置の実施例を添付図面に基づいて説明する。本実施例では役物装置を備えた遊技機の一例としてパチンコ機を説明する。
【００１３】
図１はパチンコ機１０の斜視図である。図１に示されるように、パチンコ機１０の遊技盤１２の中央やや上には、液晶表示ユニット１３が設けられている。液晶表示ユニット１３は、液晶表示により数字や図柄等を表示する液晶表示装置１４を含んでいる。液晶表示ユニット１３の左右には第１入賞口１６が設けられている。第１入賞口１６は固定役物である。第１入賞口１６にパチンコ球７が入ると、所定数の賞球が受皿３２に配給される。液晶表示ユニット１３の下には第２入賞口２０、第１可動役物２２、アッタカ口２４、アウト口２６が設けられている。第１可動役物２２は電動チューリップである。第２入賞口２０は始動入賞口である。第２入賞口２０にパチンコ球７が入ると、第１可動役物（電動チューリップ）２２が開く。第１可動役物２２にパチンコ球７が入ると、所定数の賞球が受皿３２に配給されると共に、制御装置（図示せず）の判定プログラムが起動される。判定プログラムの乱数抽選により「当選」か「外れ」が決定される。アタッカ口２４は通常閉じられている。前記乱数抽選により「当選」すると、アタッカ口２４が所定時間開く。パチンコ球７がアタッカ口２４に入ると、所定数の賞球が受皿３２に配給される。パチンコ球７はアウト口に入ると没収される。
【００１４】
アタッカ口２４の左右には第２可動役物２８が設けられている。第２可動役物２８も電動チューリップである。パチンコ球７が第２可動役物２８に入ると、所定数の賞球が受皿３２に配給される。遊技盤１２には障害釘や風車等が設けられているが、図示していない。遊技盤１２の下には受皿３２やパチンコ球発射装置も設けられている。パチンコ球発射装置はハンドル３４を含む。遊技盤１２の前面には透明なガラス枠が設けられている。また、パチンコ機１０には照明電飾装置３６、３７や電源回路（図示せず）も設けられている。
【００１５】
液晶表示装置１４は例えば３つのリールの画像を表示し、各リールには数字や図柄が表示される。数字や図柄は所定の条件に従い、変動、停止または消滅する。例えば第１可動役物２２にパチンコ球が入り、上記判定プログラムが起動されて乱数抽選が行われると、この乱数抽選の結果に基づいて図柄が変動して停止する（遊技者には、３つのリールが回転して止まるように見える）。
【００１６】
次に図２（ａ）を参照して液晶表示ユニット１３について説明する。図２（ａ）は液晶表示ユニット１３の正面図である。
【００１７】
液晶表示ユニット１３は、略矩形のハウジング１５、ハウジングのほぼ中央に設置された液晶表示装置１４、ハウジング左側部に沿って設けられた第１通路１７、液晶表示装置の下に形成され、第１通路１７の出口１７ｂから排出されるパチンコ球が流れていく浅い凹部１９、及びこの凹部の中央からハウジングの中央下部へ延びる第２通路２１からなる。ハウジング１５の左側面上部には開口部１７ａが形成されており、この開口部１７ａが第１通路１７の入口となる。パチンコ球７は開口部１７ａから第１通路１７に入ることができる。第１通路１７内の上記開口部１７ａ近傍には一対の電極片２９が対向して設けられている。この電極片２９は可撓性を有している。また、電極片２９同士の距離はパチンコ球７の直径より小さい。第１通路１７はほぼ垂直な通路であり、入口開口部１７ａから第１通路１７に入ったパチンコ球７は、まず２つの電極片２９に接触しながら電極片２９を押し広げ、電極片２９間を通過する。その後、パチンコ球７はハウジング左側部を垂直に流下し、第１通路１７の出口１７ｂに至る。第１通路１７の出口１７ｂから出たパチンコ球７は浅いすり鉢状の凹部１９に入る。凹部１９は液晶表示装置１４の下辺に沿って延び、中央が一番低くなっている。一番低くなっている部分に開口部２１ａが形成されている。開口部２１ａには開閉可能な蓋部材２３が設けられている。開口部２１ａは第２通路２１の入口である。開口部２１ａは通常、蓋部材２３により閉じられているが、所定の条件が満たされると開く。よって、凹部１９に入ったパチンコ球７は、凹部の中央部、即ち、蓋部材２３付近に至り、蓋部材２３が開いていれば第２通路２１への入口２１ａに入り、蓋部材２３が閉じていれば、凹部１９から下に落ちて遊技盤に入る。
【００１８】
液晶表示ユニット１３の第２通路２１は垂直に下方に延び、ハウジングの中央下部に出口２１ｂを有している。第２通路２１に入ったパチンコ球は出口２１ｂから遊技盤に排出される。ここで図１を参照すると、第２通路２１の出口２１ｂは第２入賞口２０の上に位置されている。よって、第２通路２１の出口２１ｂを出たパチンコ球７は第２入賞口２０に導かれるようになっている。つまり、液晶表示ユニット１３に入ったパチンコ球は、蓋部材２３が開いていれば、第２入賞口２０に入るように構成されている。
【００１９】
図２（ｂ）は第２通路２１の側断面図である。第２通路２１はＬ字状を呈している。蓋部材２３が閉位置にあるとき（図２（ｂ）の実線で示した位置）、第２通路２１の入口２１ａは蓋部材２３により閉じられている。蓋部材２３が上方に反り返り、開位置に移動すると（図中、破線で示した位置）、パチンコ球７は第２通路２１に入ることができる。蓋部材２３は開閉動作するので、可動役物である。蓋部材２３は図２（ｂ）においてその右端部が固定され、この固定部を支点として反り返ることができるように設けられている。
【００２０】
蓋部材２３は本実施例では、圧電バイモルフである。この圧電バイモルフは２つの圧電セラミックス板を金属板等を介して貼り合せたものである。つまり、厚み方向に分極された２枚の圧電素子（セラミック板）から構成されている。圧電バイモルフに電圧を印加すると、例えば上部のセラミック板は圧電効果により縮み、下部のセラミック板は伸びるので、全体として（つまり圧電バイモルフとして）は上方向に曲る（反り返る）。本実施例では、蓋部材（圧電バイモルフ）２３に電圧を印加することにより、蓋部材２３が上方向に曲る（反り返る）ようになっている。
【００２１】
図３は、一対の電極片２９と、液晶表示ユニット１３の蓋部材２３との間の配線３０を模式的に示した図である。液晶表示ユニット１３のその他の部分は省略されている。配線３０上には電源３１が設けられている。配線３０と電源３１は液晶表示ユニット１３内部に埋設されている。図示されているように、一対の電極片２９の間には所定の隙間があるので、通常は、電源３１の電力は蓋部材２３に供給されない。パチンコ球７が２つの電極片２９をつなぐと電源３１から蓋部材２３に電力が供給される。配線３０と電源３１により圧電バイモルフへの電源供給回路が構成される。
【００２２】
次に本実施例の役物装置の動作を説明する。
【００２３】
図２に示すようにパチンコ球７が液晶表示ユニット１３の入口開口部１７ａに入ると、パチンコ球７が２つの電極片２９の間を接触しながら通過するので、２つの電極片２９がパチンコ球７を介して導通する。すると、電源３１（図３）から蓋部材２３に電力が供給される。その結果、蓋部材２３が上方に反り返る。つまり、遊技者から見ると、パチンコ球７が液晶表示ユニット１３に入ると、液晶表示ユニット１３の中央下部の蓋部材２３が開く。パチンコ球が連続的に液晶表示ユニット１３に入ると、連続的に電力が蓋部材２３に供給され、蓋部材２３はある程度の時間、開き続ける。
【００２４】
パチンコ球７が液晶表示装置１３に入らなければ、蓋部材２３は閉じたままである。
【００２５】
以上の説明から明かなように、本実施例では、バイモフル製の可動役物（蓋部材２３）への電力供給を、パチンコ球（遊技球）７によりオン・オフしている。パチンコ球の動きは予測不可能である（ランダムである）ので、蓋部材２３の動きもランダムになる。本実施例では、蓋部材２３の駆動を制御する制御装置が設けられていない。
【００２６】
尚、本発明は上記実施例に限定されない。例えば、図４に示すように一対の電極片２９を複数設けてもよい。図４の例では、液晶表示ユニット１３の第１通路１７内に、複数の電極片対が所定間隔で設けられている。このような構成では、第１通路１７に入った１つのパチンコ球７が連続的に電極片２９に接触するので、一旦パチンコ球７が第１通路１７に入ると、図２の構成に比べかなり長い時間、蓋部材２３が開位置に保持される。
【００２７】
図５は他の変形例を示している。この例では、パチンコ球７が一対の電極片２９の間を通り抜けるのではなく、一方の電極片２９にパチンコ球７が接触するとこの電極片２９が他方の電極片２９に押しつけられることにより一対の電極片２９が導通する。図２の構成では、パチンコ球７を介して２つの電極片２９が導通するが、図５の構成では、２つの電極片２９同士が直接接触して導通する。
【００２８】
尚、蓋部材２３への電力が小さい場合、配線３０上に増幅器を設けてもよい。この増幅器による電力増幅は、蓋部材２３の反り返り量や、蓋部材２３の開度スピード等を考慮して選定してもよい。
【００２９】
次に本発明の第２実施例について図６と図７に基づいて説明をする。
【００３０】
図６は図１と同様なパチンコ機１０の斜視図である。以下、図１と異なる部分についてのみ説明をする。
【００３１】
図６に示されるように、パチンコ機１０の遊技盤１２の左上部には、一対の電極片２９が突出して設けられている。これら電極片２９は左側の第１入賞口１６の上に位置している。電極片２９は固定役物であり、障害釘として作用する。電極片２９同士の間の距離はパチンコ球７の直径より小さい。電極片２９は可撓性を有していない。
【００３２】
遊技盤１２の右下部には星形の第３可動役物３３が設けられている。第３可動役物３３は第１可動役物２２の右に位置している。第３可動役物３３は星形の障害物であり、遊技盤１２から突出するように設けられている。本実施例では第３可動役物３３は圧電バイモルフからなっている。尚、遊技盤１２には電極片２９及び第３可動役物３３以外にも障害釘や風車等が設けられているが、図示していない。
【００３３】
次に図７を参照して、電極片２９と第３可動役物３３の間の配線について説明する。
一対の電極片２９からは第３可動役物３３に配線３０が延びている。この配線３０上に電源３１が設けられている。第３可動役物３３は遊技盤１２から遊技者側へ突出する支持板部３３ａと、支持板部に支持された星形の本体３３ｂからなる。支持板部３３ａは圧電バイモルフで構成されている。支持板部３３ａは第１実施例の蓋部材２３と同じように、２つの圧電セラミックス板を金属板等を介して貼り合せ構成されている。支持板部３３ａは図７の紙面垂直方向に所定の大きさを有しており、上方から見た場合、矩形を呈している。パチンコ球が第３可動役物３３に衝突する場合、支持板部３３ａには衝突せず、本体３３ｂに衝突する。配線３０はパチンコ機内部に埋設されており、遊技盤１２上には現れていない。配線３０と電源３１により、圧電バイモルフへの電源供給回路が構成される。
【００３４】
次に本実施例の役物装置の動作を説明する。
【００３５】
パチンコ球７が２本の障害釘である一対の電極片２９に衝突すると、パチンコ球７を介して一対の電極片２９同士が導通する。その結果、電源３１から第３可動役物３３の支持板部３３ａに電力が供給される。支持板部３３ａは圧電バイモルフであるので、電力が供給されると、支持板部３３ａが上下に動く。つまり、遊技者から見ると、パチンコ球７が障害釘（電極片２９）に衝突すると、遊技盤の右下の星形の障害物（第３可動役物３３）が動くことになる。パチンコ球が連続的に上記障害釘に衝突すると、連続的に電力が支持板部３３ａに供給され、星形の障害物（第３可動役物３３）がある程度の時間動き続ける。
【００３６】
本実施例では、第３可動役物３３の駆動を制御する制御装置は設けられていない。
【００３７】
尚、第３可動役物３３への電力が小さい場合、配線３０上に増幅器を設けてもよい。この増幅器による電力増幅は、第３可動役物３３の駆動速度等を考慮して決定される。
【００３８】
本発明は上記した実施例に限定されない。例えば、蓋部材２３と第３可動役物３３は圧電バイモルフで構成するとしたが、電力供給を受けた際に変形するものであれば他の圧電素子でもよい。また、電極片２９の位置はパチンコ球７が接触可能な位置であれば、どこでもよい。
【図面の簡単な説明】
【００３９】
【図１】本発明の第１実施例における役物装置を備えるパチンコ機の斜視図である。
【図２】（ａ）は図１のパチンコ機に設けられた液晶表示ユニットの正面図であり、（ｂ）は液晶表示ユニットの出口側通路の側断面図である。
【図３】図２の液晶表示ユニットに設けられた可動板と、一対の電極片と、これらをつなぐ配線の概略図である。
【図４】図２の構成の第１変形例を示す概略構成図である。
【図５】図２の構成の第２変形例を示す概略構成図である。
【図６】本発明の第２実施例における役物装置を備えるパチンコ機の斜視図である。
【図７】図６の役物装置の概略配線図である。
【符号の説明】
【００４０】
７  パチンコ球
１０  パチンコ機
１２  遊技盤
１３  液晶表示ユニット
２３  蓋部材（圧電バイモルフ）
２９  一対の電極片
３０  配線
３１  電源
【図１】
2006255276.tif 000003
【図２】
2006255276.tif 000004
【図３】
2006255276.tif 000005
【図４】
2006255276.tif 000006
【図５】
2006255276.tif 000007
【図６】
2006255276.tif 000008
【図７】
2006255276.tif 000009